(57)【要約】【課題】連続する映像音声データのストリームを複数の記録媒体にわたって連続記録した場合に、その連続記録された映像信号等を別の記録媒体に移動させて、その記録媒体のみを取り出し、別の装置でも連続再生できるようにする。【解決手段】連続する映像音声データが分割されて複数の転送元映像音声データとして複数の記録メモリ１１１〜１１３にそれぞれ記録されており、各転送元映像音声データは、他の転送元記録媒体に記録された転送元映像音声データとの前後関係を示す管理情報を含み、制御部１０１は、各転送元映像音声データを転送先記録媒体に各転送先映像音声データとしてコピーする際に、各転送先映像音声データに含まれる管理情報に対して、前後関係を転送先記録媒体上での関係に更新する。【選択図】図１
2006345020.tif 000002
【特許請求の範囲】
【請求項１】
連続する映像及び音声のうち少なくともいずれか一方を含む映像音声データが分割されて複数の転送元映像音声データとして複数の転送元記録媒体にそれぞれ記録されており、前記転送元映像音声データを転送先記録媒体にコピーするコピー方法であって、
前記複数の転送元映像音声データのうちの各転送元映像音声データは、他の転送元記録媒体に記録された前記転送元映像音声データとの前後関係を示す管理情報を含み、
前記各転送元映像音声データを前記転送先記録媒体に各転送先映像音声データとしてコピーするステップと、
前記各転送先映像音声データに含まれる前記管理情報に対して、前記前後関係を前記転送先記録媒体上での関係に更新するステップと、
を有するコピー方法。
【請求項２】
連続する映像及び音声のうち少なくともいずれか一方を含む映像音声データが分割されて複数の転送元映像音声データとして複数の転送元記録媒体にそれぞれ記録されており、前記転送元映像音声データを転送先記録媒体にコピーするコピー方法であって、
前記複数の転送元映像音声データのうちの各転送元映像音声データは、他の転送元記録媒体に記録された前記転送元映像音声データとの前後関係を示す管理情報を含み、
前記複数の転送元映像音声データを時系列順に結合して前記転送先記録媒体に転送先映像音声データとしてコピーするステップと、
前記転送先映像音声データの管理情報を、前記各転送元映像音声データに含まれる前記管理情報に基づいて作成するステップと、
を有するコピー方法。
【請求項３】
転送先記録媒体及び複数の転送元記録媒体を装着する記録媒体装着部と、
前記記録媒体装着部に装着された前記記録媒体に対して読み出し及び書き込みを行う制御部とを有する記録再生装置であって、
連続する映像及び音声のうち少なくともいずれか一方を含む映像音声データが分割されて複数の転送元映像音声データとして複数の転送元記録媒体にそれぞれ記録されており、
前記複数の転送元映像音声データのうちの各転送元映像音声データは、他の転送元記録媒体に記録された前記転送元映像音声データとの前後関係を示す管理情報を含み、
前記制御部は、前記各転送元映像音声データを前記転送先記録媒体に各転送先映像音声データとしてコピーする際に、前記各転送先映像音声データに含まれる前記管理情報に対して、前記前後関係を前記転送先記録媒体上での関係に更新する、
記録再生装置。
【請求項４】
転送先記録媒体及び複数の転送元記録媒体を装着する記録媒体装着部と、
前記記録媒体装着部に装着された前記記録媒体に対して読み出し及び書き込みを行う制御部とを有する記録再生装置であって、
連続する映像及び音声のうち少なくともいずれか一方を含む映像音声データが分割されて複数の転送元映像音声データとして複数の転送元記録媒体にそれぞれ記録されており、
前記複数の転送元映像音声データのうちの各転送元映像音声データは、他の転送元記録媒体に記録された前記転送元映像音声データとの前後関係を示す管理情報を含み、
前記制御部は、前記複数の転送元映像音声データを時系列順に結合して前記転送先記録媒体に転送先映像音声データとしてコピーする際に、前記転送先映像音声データの管理情報を、前記各転送元映像音声データに含まれる前記管理情報に基づいて作成する、
記録再生装置。
【発明の詳細な説明】
【技術分野】
【０００１】
本発明は、複数の記録媒体にわたる映像及び音声の記録再生装置に関する。
【背景技術】
【０００２】
近年、光ディスクや、半導体メモリなどの記録媒体に、映像信号をファイル化して記録する装置が一般的になり、記録媒体の大容量化に伴い、記録時間も拡大している。しかし、単一の記録媒体の容量は限られるため、複数の記録媒体に映像信号を連続記録し、記録時間の拡大を図る方式が提案されている。
【０００３】
従来の記録再生装置において、複数の記録媒体に連続して記録する方法としては、複数の光ディスクに映像を途切れなく連続して記録する方法があった（例えば、特許文献１参照。）。
【０００４】
前記従来例は、光ディスク記録装置内にサブディスクを設け、メインディスクを入れ替えている間にはサブディスクに映像を記録することにより録画を継続できるものであり、メインディスクを順次入れ替えることにより、長時間の記録を実現する。さらに、光ピックアップがメインディスクとサブディスクとの間の移動中においても、バッファメモリによって、連続して入力されてくるＴＶ放送の映像音声信号などの記録データを、欠落させることなく録画する。
【特許文献１】特開平１０−１０６１５２号公報
【発明の開示】
【発明が解決しようとする課題】
【０００５】
上記従来の記録再生装置では、録画時に複数のメインディスク及びサブディスクのそれぞれの録画開始アドレスと録画終了アドレスとを記録装置の情報メモリに格納し、再生時はこの内容に従って順次再生するという構成をとっている。さらに、サブディスクに記録したデータは、メインディスクに書き戻すことをせずにサブディスクに保持したままであり、また、メインディスクに記録したデータを別の光ディスクに移動する構成にもなっていない。このため、複数の記録媒体にまたがって記録した時間的に連続した映像音声データを１つの記録媒体にコピーまたは移動させて、その記録媒体のみを取り出し、別の装置で連続再生することは困難であった。
【０００６】
本発明は上記のような課題に鑑みてなされたものであり、その目的は、連続する映像音声データのストリームを複数の記録媒体にわたって連続記録した場合に、その連続記録された映像又は音声を記録した記録媒体とは別の記録媒体に移動させて、その記録媒体のみを取り出し、別の装置でも連続再生できるようにすることである。
【課題を解決するための手段】
【０００７】
上記課題を解決するために本発明に係る記録再生装置は、転送先記録媒体及び複数の転送元記録媒体を装着する記録媒体装着部と、記録媒体装着部に装着された記録媒体に対して読み出し及び書き込みを行う制御部とを有する記録再生装置であって、連続する映像及び音声のうち少なくともいずれか一方を含む映像音声データが分割されて複数の転送元映像音声データとして複数の転送元記録媒体にそれぞれ記録されており、複数の転送元映像音声データのうちの各転送元映像音声データは、他の転送元記録媒体に記録された転送元映像音声データとの前後関係を示す管理情報を含み、制御部は、各転送元映像音声データを転送先記録媒体に各転送先映像音声データとしてコピーする際に、各転送先映像音声データに含まれる管理情報に対して、前後関係を転送先記録媒体上での関係に更新する。
【発明の効果】
【０００８】
本発明の記録再生装置では、連続する映像信号又は音声信号のストリームを複数の記録媒体にわたって連続して記録した場合に、複数のクリップに分かれたショットを記録媒体とは異なる１つの記録媒体に移動させても、各クリップの管理情報ファイルを更新することにより、移動前のクリップの前後関係を移動後も保つことができる。よって、移動先の記録媒体においてもショットの連続再生が可能である。
【発明を実施するための最良の形態】
【０００９】
以下、本発明の実施の形態について図面を用いて説明する。なお、図面において、実質的に同一の部材には同一の符号を付している。
【００１０】
（実施の形態１）
図１は、本発明の実施の形態１の映像又は音声の記録再生装置１００の構成を示すブロック図である。この記録再生装置１００は、システム制御部１０１と、Ｉ／Ｏバス１２０と、着脱可能な複数の記録メモリ１１１〜１１３と、記録メモリと接続する記録メモリＩ／Ｆ部１１０と、ユーザによるファイルの記録や再生の指示を受け付ける入力手段１３０と、映像信号を入力する映像入力手段１３２と、映像信号の符号化を行うエンコーダ１３１と、音声信号を入力する音声入力手段１３５と、映像信号を復号化するデコーダ１３３と、復号化された映像信号を出力する映像出力手段１３４と、音声信号を出力する音声出力手段１３６とを含む。
【００１１】
システム制御部１０１は、例えば、ＣＰＵとメモリとを含むコンピュータによって実現される。このシステム制御部１０１には、映像ファイル処理手段１０２、音声ファイル処理手段１０３、Ｉｎｄｅｘファイル処理手段１０４、記録メモリ処理手段１０５、ファイルシステム１０６、ファイルシステム用メモリ１０７、記録バッファメモリ１０８、再生バッファメモリ１０９を備えている。システム制御部１０１に含まれる各手段は、ＣＰＵで各種のプログラムを実行することによって実現される。システム制御部１０１に含まれる各メモリは、例えば、それぞれの用途についてそれぞれメモリを用いてもよく、また、単一のメモリを用途ごとに領域を分けて使うことによって実現してもよい。
【００１２】
映像入力手段１３２から入力された映像信号は、エンコーダ１３１で例えばＳＭＰＴＥ−３１４Ｍ（ＤＶ−Ｂａｓｅｄ  ２５Ｍ）の圧縮処理により約１／５の符号量に圧縮される。映像ファイル処理手段１０２では、圧縮されたＳＭＰＴＥ−３１４Ｍの圧縮データを、１フレーム単位を基準としてファイル化する（ＤＩＦ形式ファイル）。ＮＴＳＣの場合、ＤＩＦ形式ファイルは１フレームあたりのデータ量は、固定量の１２００００Ｂｙｔｅとなる。
【００１３】
図２（ａ）にＤＩＦ形式ファイルの構造を示す。ファイルのヘッダ等は無く、フレームの順に圧縮データが並んでいる構造であるため、Ｎフレーム記録時のファイルサイズは上記１フレームあたりの符号量のＮ倍となる。
【００１４】
また、ＤＩＦ形式ファイルの中では音声２チャンネルを格納出来るが、本実施の形態ではＤＩＦ形式ファイル内の音声データは使用せず、別ファイルとして記録する。これは、放送局などの業務用途の編集作業では、映像と音声を独立しての編集作業を行うことが多く、業務用途のノンリニア編集機では映像と音声を別ファイルとするのが一般的なためである。
【００１５】
音声入力手段１３５から入力された音声データは、音声ファイル処理手段１０３によってＷａｖｅ形式でファイル化される。Ｗａｖｅ形式ファイルの一例を図２（ｂ）に示す。Ｗａｖｅファイルは、ＲＩＦＦ（Ｒｅｓｏｕｒｃｅ  Ｉｎｔｅｒｃｈａｎｇｅ  Ｆｉｌｅ  Ｆｏｒｍａｔ）の一つであり、複数のチャンクで構成されている。各チャンクは４文字のＩＤ（ＡＳＣＩＩ  ４Ｂｙｔｅ）と４Ｂｙｔｅのチャンクデータサイズ、そして実際のチャンクデータで構成される。ファイルの先頭にはＲＩＦＦチャンクがあり、Ｗａｖｅ形式であることを表している。ｆｍｔチャンクではファイルに格納されている音声データのサンプル周波数、量子化数などの構造が格納されている。ｄａｔａチャンクにチャンクＩＤとチャンクサイズに続いて実際の音声データが格納されている。音声の量子化数を１６ｂｉｔとした場合のファイルサイズは以下のようになる。
【００１６】
ＲＩＦＦ  ＋  ｆｍｔ  ＋８  ＋（Ｍ×２）  Ｂｙｔｅ
ＲＩＦＦ＝ＲＩＦＦチャンクのバイト数
ｆｍｔ  ＝ｆｍｔチャンクのバイト数
Ｍ      ＝音声データの総サンプル数
音声ファイルは各チャンネルを独立させて記録する。従って、記録する音声のチャンネル数が２チャンネルの場合は、Ｗａｖｅファイルをチャンネル毎に独立して２個記録する。
【００１７】
記録メモリ１１１〜１１３は、例えばＰＣＭＣＩＡ規格に準拠した形状で脱着可能な構成となっている。この場合、記録メモリＩ／Ｆ部１１０はカードバス規格に準拠したものとする。記録メモリ１１１〜１１３は、例えば記録再生装置１００に設けられた記録媒体装着部としての複数のカードスロットにそれぞれを挿入することにより、記録メモリＩ／Ｆ部１１０と接続される。連続記録を円滑に行うためには少なくとも２つ以上のカードスロットを有していることが好ましい。ここでは３つのカードスロットを有しているが、３つに限られず、４つ以上のカードスロットを有していてもよい。
【００１８】
記録メモリ１１１〜１１３はＦＡＴ１６等のファイルシステムでフォーマットされており、記録メモリに対するファイルの読み出し及び書き込みは、システム制御部１０１内のファイルシステム１０６によるＦＡＴの管理情報の更新並びに記録メモリへのデータ読み出し動作及び書き込み動作により行われる。
【００１９】
記録メモリ１１１〜１１３のそれぞれの空き容量は、記録メモリ処理手段１０５によってファイルシステム１０６を介して確認する。また、映像音声記録時において、複数の記録メモリの中からの記録対象メモリの指定は、記録メモリ処理手段１０５によって行う。
【００２０】
映像と音声の記録動作は、入力手段１３０からの指示に従って行う。入力手段１３０から記録開始の指示があった場合は、映像を記録する１個のＤＩＦ形式映像ファイルと、音声を記録する２個のＷａｖｅファイルをＯｐｅｎし、データを記録していく。この際、入力手段１３０からの指示があった時刻の映像と音声を先頭として、それぞれのファイルのデータを記録する。このように、ファイルのデータの先頭を同時刻にしておけば、映像のフレームサイズやフレーム周波数、音声のサンプリング周波数、ファイル先頭からの経過時間などから、映像ファイルと音声ファイルの同期を取ることが可能である。同期の具体例については後述する。
【００２１】
また、記録メモリへのデータ書き込みは、入力手段１３０から記録動作の停止指示があった場合に終了し、上記ファイルをＣｌｏｓｅする。従って、この一連の記録動作の実行により映像ファイル１個と音声ファイル２個が新規に作成される。
【００２２】
このように本実施の形態の記録再生装置１００は、映像及び音声を含んだ映像音声データのストリームを、映像ファイル1個と音声ファイル２個として記録メモリへ記録する。記録再生装置１００は、このようなストリームを複数の映像音声データに分割してそれぞれを複数の記録メモリの各々に記録することができる。そうすることで、ストリームを複数の記録メモリにわたって連続して記録する。この場合、まず１枚目の記録メモリに対して、１個のＤＩＦ形式映像ファイルと２個のＷａｖｅファイルをＯｐｅｎして、映像と音声を互いに同期させながらデータを記録していく。１枚目の記録メモリの空き容量が少なくなってきたら、上記ファイルをＣｌｏｓｅすると共に２枚目の記録メモリに対して１個の映像ファイルと２個の音声ファイルをＯｐｅｎして、データの記録を継続する。記録動作の停止指示があったら、２枚目の記録メモリに対して記録を行っていたファイルをＣｌｏｓｅする。この一連の記録動作では、１個の映像ファイルと２個の音声ファイルの組が２枚の記録メモリにそれぞれ作成される。
【００２３】
ここで、分割された映像音声データ、すなわち各記録メモリに対として記録した上記映像ファイルと音声ファイルの組をクリップ、記録開始から記録停止までの一連の記録動作で作成されたクリップの集合をショットと呼ぶ。上の例のように、通常１つのショットは１つのクリップであるが、複数の記録メモリをまたいで記録する場合やファイルサイズの限界などでファイルを分割せざるを得ない場合には、１つのショットは複数のクリップから構成される。図３にショットとクリップの関係を示す。図３において、ショットＡは記録メモリ−１に記録されたクリップＡだけで構成されている。一方、ショットＢは記録メモリ−１に記録されたクリップＢと記録メモリ−２に記録されたクリップＣとから構成されている。
【００２４】
ここで、記録時における映像ファイルと音声ファイルの同期の一例を図４に示す。フレーム周波数２９．９７ＨｚのＮＴＳＣ方式の場合、音声のサンプリング周波数を４８ｋＨｚとすると１フレーム時間での音声サンプル数は１６０１．６サンプルとなり、５フレーム時間で整数となる。音声のＷａｖｅ形式ファイルでは、映像のフレーム周期は記述しないが、映像との同期をとる為、５フレーム周期でフレームあたりのサンプル数を、１６００、１６０２、１６０２、１６０２、１６０２と変化させてカウントし、記録開始から終了までのサンプル数をこの５フレームを基準に算出する。この５フレームの繰り返しの位相をシーケンス番号で表すことにすると、シーケンス番号は０〜４の繰り返しとなる。従って、１フレームあたりのデータサイズは音声２チャンネル分では以下のようになる。
【００２５】
１６００×２  Ｂｙｔｅ  （シーケンス番号＝０）
１６０２×２  Ｂｙｔｅ  （シーケンス番号＝１、２、３、４）
また、記録終了の際には、クリップの管理情報が記述されている管理情報ファイルとしてのＣｌｉｐ  Ｉｎｄｅｘファイルの作成がＩｎｄｅｘファイル処理手段１０４により行われる。Ｃｌｉｐ  Ｉｎｄｅｘファイルはクリップを構成するファイルのひとつである。Ｃｌｉｐ  Ｉｎｄｅｘファイルはクリップ１つに付き１ファイルが記録され、そのクリップを含んでいるショットの情報、クリップに含まれる映像ファイルと音声ファイルの情報、同じショット内でそのクリップの直前及び直後に位置するクリップの情報等を表す。
【００２６】
図５にＣｌｉｐ  Ｉｎｄｅｘファイルの記述の一例を示す。Ｃｌｉｐ  Ｉｎｄｅｘファイルはテキスト形式のファイルとして記録され、それぞれの要素の区切りはカンマで区切られている。なお、Ｃｌｉｐ  Ｉｎｄｅｘファイルはテキスト形式で記述する場合に限られず、バイナリ形式や、テキストまたはバイナリを符号化または暗号化したものであってもよい。また、区切りを表す記号がカンマ以外の別の記号や形式であってもよい。
【００２７】
Ｃｌｉｐ  Ｉｎｄｅｘ中のＣｌｉｐ  Ｎａｍｅはユーザが任意に付加することのできるクリップ固有のタイトルであり、ユーザが認識し易い名前を自由に付加してもよい。なお、機器内でのクリップの特定はＣｌｉｐ  ＩＤによるため、Ｃｌｉｐ  Ｔｉｔｌｅは映像ファイルや音声ファイルが記録された状態でも自由に変更してもよい。
【００２８】
Ｃｌｉｐ  ＩＤはクリップ毎にユニークとなるように付加されるＩＤであり、例えばＳＭＰＴＥ３３０で規定されているＵＭＩＤ（Ｕｎｉｑｕｅ  Ｍａｔｅｒｉａｌ  Ｉｄｅｎｔｉｆｉｅｒ）を付加することができる。
【００２９】
Ｄｕｒａｔｉｏｎはクリップに含まれるフレーム数を表し、ＤｕｒａｔｉｏｎとＶｉｄｅｏ  Ｉｎｆｏに付加されているフレームレートによりクリップ全体の記録時間を計算することが可能である。
【００３０】
Ｓｅｑｕｅｎｃｅ  ＮＯ．はクリップ先頭でのシーケンス番号を表し、記録開始時間とクリップの先頭が同一となる通常の記録動作では０となるが、複数の記録媒体に連続する場合は０〜４のいずれかの値となる。
【００３１】
Ｏｆｆｓｅｔは記録開始からクリップの先頭までの時間を表し、Ｓｅｑｕｅｎｃｅ  ＮＯ．と同様に、記録開始時間とクリップの先頭が同一となる通常の記録動作では０となり、複数の記録媒体に連続する場合は０以外の値になる。
【００３２】
Ｓｈｏｔ  ＩＤはショット毎にユニークとなるように付加されるＩＤで、クリップが属するショットのＩＤを表す。Ｃｌｉｐ  ＩＤと同様にＵＭＩＤを付加することが可能である。ただし、映像や音声の記録によってひとつのショットに複数のクリップが作成される場合には、Ｃｌｉｐ  ＩＤはＳｈｏｔ  ＩＤとは異なる値を付加しておく。
【００３３】
Ｐｒｅｖｉｏｕｓ  Ｃｌｉｐ、Ｎｅｘｔ  Ｃｌｉｐは同じショットに属するクリップ間の関係を示し、それぞれ直前のクリップ、直後のクリップを表している。Ｃｌｉｐ  ＩＤと記録されている媒体のＭｅｄｉａ  ＩＤでクリップを特定している。
【００３４】
ここで、Ｍｅｄｉａ  ＩＤはメディア（媒体）毎にユニークとなるように付加されるＩＤであり、例えばメディアをフォーマットする際に、フォーマット時の時刻及び機器のＩＤ等の組み合わせにより固有のＩＤを付加することが出来る。また、記録メモリ製造時に、記録メモリ１１１、１１２、１１３内部の制御メモリ１１４に固有のシリアル番号が付与される場合がある。そこで、このシリアル番号を媒体固有の認識ＩＤとしてＭｅｄｉａ  ＩＤとすることもできる。記録メモリ１１１、１１２、１１３のシリアル番号をＭｅｄｉａ  ＩＤとして用いる場合の動作は次のようになる。まず、記録メモリ１１１、１１２、１１３が記録装置に挿入されると、記録装置はあらかじめ定められた特定のコマンドを用いて、記録メモリ１１１、１１２、１１３内部の制御メモリ１１４に記録されているシリアル番号を読み取り、記録装置内に一時保存する。そして、必要になった時に記録装置内に一時保存したシリアル番号を読み出して認識ＩＤとしＭｅｄｉａ  ＩＤに記録する。
【００３５】
なお、本実施の形態では、この固有の制御メモリ１１４に記録されたシリアル番号をそのまま用いたが、記録メモリ１１１、１１２、１１３が記録装置等に挿入されて初期化される場合に、制御メモリ１１４からシリアル番号を読み出し、これを元に認識ＩＤを生成し、通常データアクセスを行うファイルシステムの管理部分、または特定の管理ファイル内に記録して使用してもよい。この認識ＩＤは、シリアル番号をそのままあるいは一部機器が修正や追加等行ったものを記録したものを用いてもよい。これにより、通常データアクセスを行なうファイルシステムの管理部分や特定のファイルにアクセスするので、記録メモリ１１１、１１２、１１３内の制御メモリ１１４にアクセスするより読み出しがスムースに行えるというメリットがある。
【００３６】
また、本実施の形態では、記録メモリ１１１、１１２、１１３が挿入されると記録装置は認識ＩＤを読取りに行くとしたが、これに限られない。例えば、記録メモリ１１１、１１２、１１３にクリップを記録する命令が実行された場合や記録メモリ１１１、１１２、１１３が書き込み可能である場合にのみ、機器が記録メモリの認識ＩＤを読み取るようにしてもよい。このことにより、不要な認識ＩＤの読取り動作を減らすことができる。
【００３７】
Ｖｉｄｅｏ  Ｉｎｆｏはクリップの映像ファイルのフォーマットとフレームレートを表し、Ａｕｄｉｏ  Ｉｎｆｏはクリップの音声ファイルのフォーマットとサンプリングレートを表している。
【００３８】
映像ファイル及び音声ファイルとクリップとの関連付けは、Ｃｌｉｐ  Ｉｎｄｅｘファイルと同じファイル名にすることで行う。例えばＣｌｉｐ  ＩｎｄｅｘファイルがＣ００１．ｔｘｔであるクリップの映像ファイルはＣ００１．ｄｉｆとし、音声ファイル２チャンネル分のファイルはそれぞれＣ００１＿１．ｗａｖ、Ｃ００１＿２．ｗａｖとすることによって関連付けることができる。ファイル名の文字列（この例では“Ｃ００１”）は、例えば記録開始時刻及び機器のＩＤ等の組み合わせにより生成したものを使用することで、ファイルの一意性を持たせることができる。
【００３９】
図６に図３のクリップＡ、Ｂ、ＣのＣｌｉｐ  Ｉｎｄｅｘファイルの例を示す。わかりやすいように、映像ファイルはフレーム周波数２９．９７ＨｚのＤＩＦ形式、音声ファイルはサンプリング周波数４８ｋＨｚのＷａｖｅ形式とし、Ｄｕｒａｔｉｏｎ、Ｓｅｑｕｅｎｃｅ  Ｎｏ．には適当な値を入れている。図６のＣｌｉｐ−ＡのＣｌｉｐ  Ｉｎｄｅｘファイルでは、Ｓｈｏｔ  ＩＤがＵＭＩＤ０、Ｐｒｅｖｉｏｕｓ  ＣｌｉｐとＮｅｘｔ  Ｃｌｉｐが共にＮＵＬＬ（データなし）となっており、Ｓｈｏｔ  ＩＤがＵＭＩＤ０であるショット中の唯一つのクリップがＣｌｉｐ−Ａであることを示している。
【００４０】
Ｃｌｉｐ−ＢのＣｌｉｐ  Ｉｎｄｅｘファイルでは、Ｓｈｏｔ  ＩＤがＵＭＩＤ２、Ｐｒｅｖｉｏｕｓ  ＣｌｉｐがＮＵＬＬ（データなし）、Ｎｅｘｔ  ＣｌｉｐがＣｌｉｐ  ＩＤ  ＵＭＩＤ４  Ｍｅｄｉａ  ＩＤ  Ｍ００２（＝  Ｃｌｉｐ−Ｃ）となっており、Ｃｌｉｐ−ＣのＣｌｉｐ  Ｉｎｄｅｘファイルでは、Ｓｈｏｔ  ＩＤがＵＭＩＤ２、Ｐｒｅｖｉｏｕｓ  ＣｌｉｐがＣｌｉｐ  ＩＤ  ＵＭＩＤ３  Ｍｅｄｉａ  ＩＤ  Ｍ００１（＝  Ｃｌｉｐ−Ｂ）、Ｎｅｘｔ  ＣｌｉｐがＮＵＬＬ（データなし）となっている。つまり、Ｓｈｏｔ  ＩＤがＵＭＩＤ２のショットには、Ｍｅｄｉａ  ＩＤがＭ００１である記録メモリ上のＣｌｉｐ−Ｂ及びＭｅｄｉａ  ＩＤがＭ００２である記録メモリ上のＣｌｉｐ−Ｃの２つのクリップが存在し、映像の順番はＣｌｉｐ−Ｂ→Ｃｌｉｐ−Ｃになっていることを示している。
【００４１】
次に、複数の記録媒体にわたって連続して記録されたショットを、記録されたものとは別の記録媒体にコピーする方法について、図７から図１０を用いて説明する。
【００４２】
まず、図７のフローチャートを用いて説明する。ショットを別の記録媒体にコピーする方法は以下のステップからなる。
【００４３】
（ａ）ユーザにより選択されたショットに含まれるファイル全ての合計サイズと、ユーザよりコピー先として指定された記録媒体の空き容量を比較する（Ｓ７０１）。コピー先の記録媒体の空き容量の方が小さい場合は、コピーできないことを通知して終了する（Ｓ７０２）。
【００４４】
（ｂ）Ｓ７０１にてコピー可能と判断した場合、選択されたショットの全てのファイルをコピー先の記録媒体にコピーする（Ｓ７０３）。
【００４５】
（ｃ）コピーした全てのＣｌｉｐ  Ｉｎｄｅｘファイルに対して、Ｐｒｅｖｉｏｕｓ  ＣｌｉｐもしくはＮｅｘｔ  Ｃｌｉｐの欄がＮＵＬＬではなく、Ｃｌｉｐ  ＩＤとＭｅｄｉａ  ＩＤが付加されている場合は、そのＭｅｄｉａ  ＩＤをコピー先の記録媒体のＭｅｄｉａ  ＩＤに書き換える（Ｓ７０４）。
【００４６】
複数の記録媒体にわたって連続して記録されたショットを別の記録媒体にコピーする上記コピー方法について、具体的な実施例を以下に説明する。
【００４７】
コピーを開始する直前では、３枚の記録メモリの状態は図８に示すようになっているとする。図８は、各記録メモリ内部のファイル構成を示している。記録メモリ１１１（Ｍｅｄｉａ  ＩＤ  Ｍ００１）には、Ｓｈｏｔ  ＩＤ  ＵＭＩＤ０  Ｃｌｉｐ  ＩＤ  ＵＭＩＤ１のクリップが記録されている。このクリップには、フレーム周波数２９．９７Ｈｚ、クリップ長Ｔ０時間のＤＩＦ形式映像ファイルＣ００１．ｄｉｆ、サンプリング周波数４８ｋＨｚ、クリップ長Ｔ０時間の音声ファイルＣ００１＿１．ｗａｖ及びＣ００１＿２．ｗａｖ並びにＣｌｉｐ  ＩｎｄｅｘファイルＣ００１．ｔｘｔが含まれている。記録メモリ１１２（Ｍｅｄｉａ  ＩＤ  Ｍ００２）には、Ｓｈｏｔ  ＩＤ  ＵＭＩＤ０  Ｃｌｉｐ  ＩＤ  ＵＭＩＤ２のクリップが記録されている。このクリップには、フレーム周波数２９．９７Ｈｚ、クリップ長Ｔ１時間のＤＩＦ形式映像ファイルＣ００２．ｄｉｆ、サンプリング周波数４８ｋＨｚ、クリップ長Ｔ１時間の音声ファイルＣ００２＿１．ｗａｖ及びＣ００２＿２．ｗａｖ並びにＣｌｉｐ  ＩｎｄｅｘファイルＣ００２．ｔｘｔが含まれている。なお、映像ファイル及び２つの音声ファイルのシーケンス番号は４とする。記録メモリ１１３（Ｍｅｄｉａ  ＩＤ  Ｍ００３）には何も記録されていない。なお、記録メモリ１１１及び記録メモリ１１２が転送元記録媒体、記録メモリ１１３が転送先記録媒体である。また、Ｓｈｏｔ  ＩＤ  ＵＭＩＤ０  Ｃｌｉｐ  ＩＤ  ＵＭＩＤ１のクリップ及びＳｈｏｔ  ＩＤ  ＵＭＩＤ０  Ｃｌｉｐ  ＩＤ  ＵＭＩＤ２のクリップが転送元映像音声データである。
【００４８】
上記のような各クリップのＣｌｉｐ  ＩｎｄｅｘファイルＣ００１．ｔｘｔ及びＣ００２．ｔｘｔの内容は図９に示す通りとなる。
【００４９】
ショットのコピーを開始すると、Ｓｈｏｔ  ＩＤ  ＵＭＩＤ０のショットを構成するクリップのＣｌｉｐ  Ｉｎｄｅｘファイルの中から、Ｐｒｅｖｉｏｕｓ  ＣｌｉｐがＮＵＬＬであるファイルを検索し、これを含むＣｌｉｐ  ＩＤ  ＵＭＩＤ１のクリップを先頭クリップと認識する。そして、先頭クリップであるＣｌｉｐ  ＩＤ  ＵＭＩＤ１のクリップと、次に接続するクリップであるＣｌｉｐ  ＩＤ  ＵＭＩＤ２のクリップに含まれるすべてのファイルを、記録メモリ１１３にコピーする。コピー完了後、記録メモリ１１３上のこれら２つのクリップのＣｌｉｐ  Ｉｎｄｅｘファイルを、記録メモリ１１３上での関係に更新する。すなわち、Ｃｌｉｐ  ＩｎｄｅｘファイルＣ００１．ｔｘｔのＮｅｘｔ  Ｃｌｉｐの欄にあるＭｅｄｉａ  ＩＤ  Ｍ００２を記録メモリ１１３のＭｅｄｉａ  ＩＤ  であるＭ００３に、また、Ｃ００２．ｔｘｔのＰｒｅｖｉｏｕｓ  Ｃｌｉｐの欄にあるＭｅｄｉａ  ＩＤ  Ｍ００１を同様にＭ００３に更新する。
【００５０】
上記のようなショットコピー後の３枚の記録メモリの状態を図１０に、コピー後の各クリップのＣｌｉｐ  Ｉｎｄｅｘファイルの内容を図１１に示す。
【００５１】
以上のような構成により、複数の記録媒体にわたって連続して記録されたショットを、記録された媒体とは別の記録媒体にコピーしても、各クリップのＣｌｉｐ  Ｉｎｄｅｘファイルを更新することでクリップの前後関係が保たれる。
【００５２】
なお、本実施の形態では映像音声データが映像及び音声を含むデータであるとしたが、映像及び音声のうちいずれか一方を含むようなデータであってもよい。
【００５３】
なお、本実施の形態ではショットのコピーを例にとって説明したが、ショットの移動についても同様に処理できる。具体的には、ショットのコピーを完了した後に、転送元映像音声データである２つのクリップを構成するファイルを削除するようにすればよい。
【００５４】
（実施の形態２）
実施の形態２では、実施の形態１のような移動前と同じクリップ構成を保ったまま移動させるのではなく、同じショットに属するクリップを移動先で１つのクリップにまとめる方法について説明する。クリップを１つにまとめる方法について述べている点以外は、実施の形態１と同様の構成であるので説明を省略する。
【００５５】
まず、図１２のフローチャートを用いて説明する。複数の記録媒体にわたって連続して記録されたショットを別の記録媒体に移動させて、１つのクリップにまとめる方法は以下のステップからなる。
【００５６】
（ａ）ユーザにより選択されたショットに含まれるファイル全ての合計サイズと、ユーザより移動先として指定された記録媒体の空き容量を比較する（Ｓ１２０１）。移動先の記録媒体の空き容量の方が小さい場合は、移動できないことを通知して終了する（Ｓ１２０２）。
【００５７】
（ｂ）Ｓ１２０１にて移動可能となった場合、選択されたショットにおいて時間分割された映像ファイルまたは音声ファイルを、連続した１つのファイルになるように時系列順に結合して移動先の記録媒体に記録していく（Ｓ１２０３）。より具体的に説明すると、移動先の記録媒体に対して新たに映像ファイルをＯｐｅｎし、先頭クリップの映像ファイルのデータをその新規ファイルに記録していく。先頭クリップのデータが終わったら次のクリップの映像ファイルのデータを順に追記していく。全ての映像ファイルのデータの記録が終わったらファイルをＣｌｏｓｅする。音声ファイルについても同様である。
【００５８】
（ｃ）新たに作成したクリップのＣｌｉｐ  ＩＤを、選択したショットのＳｈｏｔ  ＩＤと同じ値にし、Ｄｕｒａｔｉｏｎを選択したショットの全てのクリップのＤｕｒａｔｉｏｎの値の合計にして、新規にＣｌｉｐ  Ｉｎｄｅｘファイルを作成する（Ｓ１２０４）。Ｃｌｉｐ  Ｉｎｄｅｘファイルの残りの項目は、以下の通りである。つまり、Ｓｅｑｕｅｎｃｅ  ＮＯ．とＯｆｆｓｅｔはいずれも０に、Ｐｒｅｖｉｏｕｓ  ＣｌｉｐとＮｅｘｔ  ＣｌｉｐはＮＵＬＬに設定し、Ｓｈｏｔ  ＩＤとＶｉｄｅｏ  Ｉｎｆｏ、Ａｕｄｉｏ  Ｉｎｆｏは元の値が引き継がれる。
【００５９】
複数の記録媒体にわたって連続記録されたショットを、別の記録媒体に移動して１つのクリップにまとめる上記方法について、具体的な実施例を以下に説明する。
【００６０】
移動を開始する直前は、３枚の記録メモリの状態は実施の形態１でも述べた図８に示すようになっている。Ｃｌｉｐ  ＩｎｄｅｘファイルＣ００１．ｔｘｔとＣ００２．ｔｘｔの内容も実施の形態１と同じく図９に示す通りである。
【００６１】
記録メモリ１１３へショットの移動を開始すると、記録メモリ１１３に新たに映像ファイルＣ００３．ｄｉｆをＯｐｅｎして、まずＣ００１．ｄｉｆファイルのデータを記録し、続いてＣ００２．ｄｉｆファイルのデータを記録して連続した１つのファイルを作成する。音声ファイルについても同様にして、Ｃ００３＿１．ｗａｖとＣ００３＿２．ｗａｖを作成する。最後にＣｌｉｐ  ＩｎｄｅｘファイルＣ００１．ｔｘｔとＣ００２．ｔｘｔの内容に基づいてＣｌｉｐ  ＩｎｄｅｘファイルＣ００３．ｔｘｔを作成する。Ｃｌｉｐ  ＩＤはＳｈｏｔ  ＩＤ  ＵＭＩＤ０に、Ｄｕｒａｔｉｏｎは、２つのクリップを結合したため、Ｃｌｉｐ  ＩＤ  ＵＭＩＤ１のクリップとＣｌｉｐ  ＩＤ  ＵＭＩＤ２の合計値Ｔ０＋Ｔ１に設定する。記録メモリ１１３上にＣｌｉｐ  ＩＤ  ＵＭＩＤ０のクリップのみを含むＳｈｏｔ  ＩＤ  ＵＭＩＤ０のショットが記録されると、移動元である記録メモリ１１１及び記録メモリ１１２内の２つのクリップは削除され、ショットの移動が完了する。
【００６２】
ショット移動後の３枚の記録メモリの状態を図１３に、移動後１つにまとめたクリップのＣｌｉｐ  Ｉｎｄｅｘファイルの内容を図１４に示す。クリップが１つになったため、Ｐｒｅｖｉｏｕｓ  ＣｌｉｐとＮｅｘｔ  ＣｌｉｐがＮＵＬＬになっている。
【００６３】
以上のような構成により、同じショットの複数のクリップを１つの記録媒体に移動させる際に１つのクリップに結合することで、映像ファイル又は音声ファイルを管理し易くなり編集作業が容易になる。また、１つのクリップに結合する際に、そのクリップのＣｌｉｐ  ＩＤをＳｈｏｔ  ＩＤと同じ値にすることで、クリップの一意性を保つことができる。また、新たにＣｌｉｐ  ＩＤを付加しないため、ユニークなＩＤを生成するという複雑な処理を行う必要がなく、結合処理の迅速化・簡素化が図れる。
【００６４】
なお、本実施の形態ではショットの移動を例にとって説明したが、ショットのコピーについても同様に処理できる。具体的には、移動先の記録メモリへショットの記録が完了した後に、転送元映像音声データである２つのクリップを構成するファイルを削除しないようにすればよい。
【００６５】
なお、全ての実施の形態で記録媒体として半導体メモリを例として説明したが、光ディスク、ハードディスク等の記録媒体においても同様の効果があることは明らかである。また、３枚の記録媒体を同種の媒体として説明したが、それぞれ別の種類の記録媒体、例えば、記録メモリ１１１と記録メモリ１１２は半導体メモリで、記録メモリ１１３はハードディスクという構成でもよい。
【００６６】
なお、全ての実施の形態において前述した各ステップを、コンピュータに実行させる記録プログラムとしてもよい。さらに、この記録プログラムをコンピュータ読み取り可能な記録媒体に記録してもよい。記録媒体としてはメモリカード等の半導体メモリ、ＣＤ−Ｒ、ＤＶＤ等の光記録媒体、ＭＯ等の光磁気記録媒体、フレキシブルディスク等の磁気記録媒体等のいずれであってもよい。上記のようにコンピュータに実行させる記録プログラム及び該記録プログラムを記録した記録媒体から記録プログラムを読み出して実行することによって、コンピュータを記録装置の制御部として駆動させることができる。
【００６７】
なお、全ての実施の形態では圧縮方式としてＳＭＰＴＥ−３１４Ｍについて説明したが、フレーム内で固定長の圧縮方式であれば同様の効果が得られることは明らかである。
【００６８】
なお、全ての実施の形態において、クリップ毎にＣｌｉｐ  Ｉｎｄｅｘファイルを持つようにしたが、記録媒体毎にＩｎｄｅｘファイルを持つようにしてそのファイル内にクリップの情報を登録する構成にしても、同様の効果が得られるのは明らかである。
【産業上の利用可能性】
【００６９】
本発明にかかる記録再生装置は、複数の記録媒体にわたって記録されたショットを、記録した記録媒体とは別の記録媒体に移動させても、移動前のクリップの前後関係を移動後も保つことができるため、必要なコンテンツだけを１つの記録媒体に集めて取り出すのに有用である。
【図面の簡単な説明】
【００７０】
【図１】本発明の実施の形態１の映像記録再生装置の構成を示す図
【図２】本発明の実施の形態１における記録される映像ファイル及び音声ファイルの構成を示す図
【図３】本発明の実施の形態１におけるショットとクリップと映像ファイル及び音声ファイルの関係を示す図
【図４】本発明の実施の形態１における映像フレームと音声のサンプル数の関係を示す図
【図５】本発明の実施の形態１におけるＣｌｉｐ  Ｉｎｄｅｘファイルの構造を示す図
【図６】本発明の実施の形態１におけるＣｌｉｐ  Ｉｎｄｅｘファイルの各要素を示す図
【図７】本発明の実施の形態１に係る移動方法のフローチャート
【図８】本発明の実施の形態１におけるショット移動処理前の記録メモリの内容を示す図
【図９】本発明の実施の形態１におけるショット移動処理前のＣｌｉｐ  Ｉｎｄｅｘファイルの内容を示す図
【図１０】本発明の実施の形態１におけるショット移動処理後の記録メモリの内容を示す図
【図１１】本発明の実施の形態１におけるショット移動処理後のＣｌｉｐ  Ｉｎｄｅｘファイルの内容を示す図
【図１２】本発明の実施の形態２に係る移動方法のフローチャート
【図１３】本発明の実施の形態２におけるショット移動処理後の記録メモリの内容を示す図
【図１４】本発明の実施の形態２におけるショット移動処理後のＣｌｉｐ  Ｉｎｄｅｘファイルの内容を示す図
【符号の説明】
【００７１】
１００  記録再生装置
１０１  システム制御部
１０２  映像ファイル処理手段
１０３  音声ファイル処理手段
１０４  Ｉｎｄｅｘファイル処理手段
１０５  記録メモリ処理手段
１０６  ファイルシステム
１０７  ファイルシステム用メモリ
１０８  記録バッファメモリ
１０９  再生バッファメモリ
１１０  記録メモリＩ／Ｆ
１１１、１１２、１１３  記録メモリ
１１４  制御メモリ
１２０  Ｉ／Ｏバス
１３０  入力手段
１３１  エンコーダ
１３２  映像入力手段
１３３  デコーダ
１３４  映像出力手段
１３５  音声入力手段
１３６  音声出力手段
【図１】
2006345020.tif 000003
【図２】
2006345020.tif 000004
【図３】
2006345020.tif 000005
【図４】
2006345020.tif 000006
【図５】
2006345020.tif 000007
【図６】
2006345020.tif 000008
【図７】
2006345020.tif 000009
【図８】
2006345020.tif 000010
【図９】
2006345020.tif 000011
【図１０】
2006345020.tif 000012
【図１１】
2006345020.tif 000013
【図１２】
2006345020.tif 000014
【図１３】
2006345020.tif 000015
【図１４】
2006345020.tif 000016